(57)【要約】【課題】本発明は、端末設備のデッドロックを避ける通信設備を提供する。【解決手段】本発明の通信設備は、トランシーバー・モジュール、タイマー・モジュール及びネットワークモジュールを備える。トランシーバー・モジュールはタイミング・スタート・アップ信号を生む。タイマー・モジュールはタイミングを行う。ネットワークモジュールは、サブ時間処理モジュール、サブ信号判断モジュール及びサブ信号送信モジュールを備える。サブ時間処理モジュールは、タイマー・モジュールのタイミングが一定の時間を越えると、端末設備の状態を検査するために端末設備に検査信号を送信する。サブ信号判断モジュールは、状態信号を受信し、状態信号のタイプを判断し、状態信号が通信終了信号であれば通信終了信号を送信する。サブ信号送信モジュールは、通信終了信号を受信し、トランシーバー・モジュールを介してローカル交換機に通信終了信号を送信する。【選択図】図２
2007251952.tif 000002
【特許請求の範囲】
【請求項１】
端末設備のデッドロックを避けることに用いられる通信設備であって、トランシーバー・モジュールと、タイマー・モジュール及びネットワークモジュールを備え、前記トランシーバー・モジュールは、ローカル交換機に通信接続されており、前記ローカル交換機から送信される通信完了信号を受信してタイミング・スタート・アップ信号を生むことに用いられ、前記タイマー・モジュールは、前記トランシーバー・モジュールに接続されており、前記タイミング・スタート・アップ信号を受信してタイミングを始めることに用いられ、前記ネットワークモジュールは、前記タイマー・モジュール及びトランシーバー・モジュールに接続されており、サブ時間処理モジュールと、サブ信号判断モジュール及びサブ信号送信モジュールを備え、前記サブ時間処理モジュールは、前記タイマー・モジュール及び前記端末設備に通信接続されており、前記タイマー・モジュールのタイミングが一定の時間を越えると、前記端末設備に検査信号を送信し、前記端末設備の状態を検査することに用いられ、前記サブ信号判断モジュールは、前記端末設備に通信接続されており、前記端末設備から送信される状態信号を受信し、且つ前記状態信号のタイプを判断し、もし前記状態信号が通信終了信号であれば、前記通信終了信号を送信することに用いられ、前記サブ信号送信モジュールは、前記サブ信号判断モジュール及びトランシーバー・モジュールに接続されており、前記サブ信号判断モジュールから送信される通信終了信号を受信し、且つ前記ランシーバー・モジュールに通信終了信号を送信し、前記ローカル交換機に通信終了信号を送信することを特徴とする通信設備。
【請求項２】
通信設備用の、端末設備のデッドロックを避ける方法であって、
ローカル交換機から送信される通信完了信号を受信し、且つタイミング・スタート・アップ信号を送信するステップと、
前記タイミング・スタート・アップ信号を受信し、タイミングを始めるステップと、
タイミングが一定の時間を越えると、前記端末設備に検査信号を送信し、前記端末設備の状態を検査するステップと、
前記状態信号を受信し、前記状態信号が通信終了信号かどうかを判断し、もし前記状態信号が通信終了信号であれば、前記ローカル交換機に通信終了信号を送信するステップと、
を備えることを特徴とする端末設備のデッドロックを避ける方法。
【請求項３】
前記通信設備は、タイミング時間内で前記端末設備から通信終了信号を受信したかどうかを判断するステップをさらに備えることを特徴とする請求項２に記載の端末設備のデッドロックを避ける方法。
【請求項４】
前記通信設備は、タイミング時間内で前記端末設備から通信終了信号を受信すると、タイミングを止めるステップをさらに備えることを特徴とする請求項３に記載の端末設備のデッドロックを避ける方法。
【請求項５】
前記判断状態信号が通信終了信号でなければ、前記方法の操作を終わるステップをさらに備えることを特徴とする請求項２に記載の端末設備のデッドロックを避ける方法。
【請求項６】
前記判断状態信号が通信終了信号であれば、前記サブ信号送信モジュールに通信終了信号を送信し、前記サブ信号送信モジュールは、前記状態信号を受信し、且つトランシーバー・モジュールによって、前記ローカル交換機に通信終了信号を送信するステップをさらに備えることを特徴とする請求項２に記載の端末設備のデッドロックを避ける方法。
【発明の詳細な説明】
【技術分野】
【０００１】
本発明は、通信設備に関するものであり、特に端末設備のデッドロックを避ける通信設備に関するものである。
【背景技術】
【０００２】
通信ネットワークの継続的な発展に従って、多くのユーザーが公衆交換電話ネットワークを使っていて、公衆交換電話ネットワークがトップ値に近くなって働く時、例えば、電話を切る信号を失う現象が発生する恐れがある。正常な通話ネットワークにおいて、第一ユーザーと第二ユーザーが皆電話を切ると、それぞれ電話を切る信号をローカル交換機に送信し、しかし、もしローカル交換機が第一ユーザーの電話を切る信号を失って、ただ第二ユーザーの電話を切る信号を受信すれば、ローカル交換機は、第一ユーザーが尚通話中であると認める。この時、第三ユーザーが第一ユーザーと通信しようとする時、ローカル交換機は、第一ユーザーが通話中であると表示するため、前記ローカル交換機が前記第一ユーザーの電話を切る信号を受信するまで、第三ユーザーが第一ユーザーと通信できない。もしローカル交換機が電話を切る信号をずっと受信しなければ、第一ユーザーのデッドロックを引き起こす。
【発明の開示】
【発明が解決しようとする課題】
【０００３】
本発明の第一の目的は、前述の問題を解決し、端末設備のデッドロックを避ける通信設備を提供することである。
【０００４】
本発明の第二の目的は、前述の問題を解決し、端末設備のデッドロックを避ける方法を提供することである。
【課題を解決するための手段】
【０００５】
前記第一目的を達成するため、本発明に係る通信設備は、端末設備のデッドロックを避けることに用いられ、トランシーバー・モジュールと、タイマー・モジュール及びネットワークモジュールを備える。前記トランシーバー・モジュールは、ローカル交換機に通信接続されており、前記ローカル交換機から送信される通信完了信号を受信してタイミング・スタート・アップ信号を生むことに用いられる。前記タイマー・モジュールは、前記トランシーバー・モジュールに接続されており、前記タイミング・スタート・アップ信号を受信してタイミングを始めることに用いられる。前記ネットワークモジュールは、前記タイマー・モジュール及びトランシーバー・モジュールに接続されており、サブ時間処理モジュールと、サブ信号判断モジュール及びサブ信号送信モジュールを備える。前記サブ時間処理モジュールは、前記タイマー・モジュール及び前記端末設備に通信接続されており、前記タイマー・モジュールのタイミングが一定の時間を越えると、前記端末設備に検査信号を送信し、前記端末設備の状態を検査することに用いられる。前記サブ信号判断モジュールは、前記端末設備に通信接続されており、前記状態信号を受信し、且つ前記状態信号のタイプを判断し、もし前記状態信号が通信終了信号であれば、前記通信終了信号を送信することに用いられる。前記サブ信号送信モジュールは、前記サブ信号判断モジュール及びトランシーバー・モジュールに接続されており、前記サブ信号判断モジュールから送信される通信終了信号を受信し、且つ前記トランシーバー・モジュールに通信終了信号を送信し、前記ローカル交換機に通信終了信号を送信する。
【０００６】
前記第二目的を達成するため、本発明に係る端末設備のデッドロックを避ける方法は、通信設備に用いられ、前記方法は、ローカル交換機から送信される通信完了信号を受信し、且つタイミング・スタート・アップ信号を送信するステップと、前記タイミング・スタート・アップ信号を受信し、タイミングを始めるステップと、タイミングが定時を越えると、前記端末設備に検査信号を送信し、前記端末設備の状態を検査するステップと、状態信号を受信し、前記状態信号が通信終了信号であるかどうかを判断するステップと、もし通信終了信号であれば、前記ローカル交換機に通信終了信号を送信するステップとを備える。
【発明の効果】
【０００７】
本発明の端末設備のデッドロックを避ける通信設備及び方法は、公衆交換電話ネットワークの使用率を高め、公衆交換電話ネットワークがトップ期にある時、端末設備のデッドロックの発生確率を下げることができる。
【発明を実施するための最良の形態】
【０００８】
図１は、本発明の実施形態の通信設備３０の適用環境を示す図である。本実施形態において、第一端末設備１０は、ローカル交換機（地域交換機または市内交換機とも称す）２０及び通信設備３０を介して、第二端末設備４０に通信接続される。本実施形態において、第一端末設備１０及び第二端末設備４０は、例えば、電話機などの公衆交換電話ネットワーク端末設備である。前記通信設備３０は、受信ネットワーク設備である。前記第一端末設備１０と第二端末設備４０との通信が終わると、前記第一端末設備１０は、前記ローカル交換機２０に通信終了信号を送信し、前記ローカル交換機２０は、前記通信設備３０に通信完了信号を送信する。本実施形態において、通信終了信号は、電話を切る信号であって、通信完了信号は、ディスコネクト・パルス極性反転信号である。
【０００９】
図２は、本発明の実施形態の通信設備３０の構成を示すブロック図である。本実施形態において、通信設備３０は、トランシーバー・モジュール３００と、タイマー・モジュール３１０及びネットワークモジュール３２０を備える。前記トランシーバー・モジュール３００は、ローカル交換機２０に通信接続されており、前記ローカル交換機２０から送信される通信完了信号を受信し、タイミング・スタート・アップ信号を生むことに用いられる。前記タイマー・モジュール３１０は、前記トランシーバー・モジュール３００に接続されており、前記タイミング・スタート・アップ信号を受信しタイミングを始めることに用いられる。本実施形態において、前記タイマー・モジュール３１０のタイミング時間が２０秒であって、もし２０秒のタイミング過程中において、前記通信設備３０が前記第二端末設備４０から送信される通信終了信号を受信すれば、前記タイマー・モジュール３１０は、タイミングを止め、前記通信設備３０は、前記第二端末設備４０の通信終了信号をローカル交換機に送信する。
【００１０】
前記ネットワークモジュール３２０は、前記タイマー・モジュール３１０及びトランシーバー・モジュール３００に接続されており、前記ネットワークモジュール３２０は、サブ時間処理モジュール３２１と、サブ信号判断モジュール３２２及びサブ信号送信モジュール３２３を備える。前記サブ時間処理モジュール３２１は、前記タイマー・モジュール３１０に接続されており、且つ第二端末設備４０に通信接続されており、前記タイマー・モジュール３１０のタイミングが一定の時間を越えると、前記第二端末設備４０に検査信号を送信し、前記第二端末設備４０の状態を検査することに用いられる。本実施形態において、前記タイマー・モジュール３１０が２０秒のタイミングを越え、前記通信設備３０が前記第二端末設備４０から送信される通信終了信号を受信しなかった時、前記サブ時間処理モジュール３２１は、前記第二端末設備４０に検査信号を送信し、前記第二端末設備４０の状態を検査する。
【００１１】
前記第二端末設備４０は、前記サブ時間処理モジュール３２１からの検査信号を受信し、且つ前記サブ信号判断モジュール３２２に該検査信号に対応する状態信号を送信する。
【００１２】
前記サブ信号判断モジュール３２２は、前記第二端末設備４０に通信接続されており、前記状態信号を受信して前記状態信号のタイプを判断することに用いられる。本実施形態において、前記サブ信号判断モジュール３２２によって、もし前記状態信号が通信終了信号だと判断すれば、前記サブ信号送信モジュール３２３に通信終了信号を送信し、もし前記状態信号が通信終了信号でないと判断すれば、作動しない。前記サブ信号送信モジュール３２３は、前記サブ信号判断モジュール３２２に接続されており、前記サブ信号判断モジュール３２２からの通信終了信号を受信し、且つ前記ランシーバー・モジュール３００に通信終了信号を送信することに用いられる。前記ランシーバー・モジュール３００は、前記サブ信号送信モジュール３２３に接続されており、且つローカル交換機２０に通信接続されており、前記サブ信号送信モジュール３２３からの通信終了信号を受信し、且つ前記ローカル交換機２０に通信終了信号を送信することに用いられる。前記ローカル交換機２０が通信終了信号を受信すると、前記第二端末設備４０がローカル交換機２０にある通信状態を改め、即ち、前記第二端末設備４０は、もう通信を終わり、新たな通信をすることを待つ。
【００１３】
図３は、本発明の第二端末設備４０のデッドロックを避ける方法を示すフローチャートである。第一端末設備１０と第二端末設備４０とが通信を終わると、ローカル交換機２０は、まず第一端末設備１０からの通信終了信号を受信し、通信設備３０に通信完了信号を送信する。ステップＳ２００において、トランシーバー・モジュール３００は、前記ローカル交換機２０から送信される通信完了信号を受信し、タイミング・スタート・アップ信号を生み、タイマー・モジュール３１０にタイミング・スタート・アップ信号を送信する。ステップＳ２０２において、前記タイマー・モジュール３１０は、タイミング・スタート・アップ信号を受信し、タイミングを始める。本実施形態において、タイミング時間は２０秒である。ステップＳ２０４において、前記タイマー・モジュール３１０は、通信設備３０がタイミング時間内で前記第二端末設備４０から通信終了信号を受信したかどうかを判断する。もし前記タイマー・モジュール３１０によって、通信設備３０がタイミング時間内で前記第二端末設備４０から通信終了信号を受信したと判断すると、ステップＳ２０６において、前記タイマー・モジュール３１０は、タイミングを止め、作動を終わる。もし前記タイマー・モジュール３１０によって、通信設備３０がタイミング時間内で前記第二端末設備４０から通信終了信号を受信しなかったと判断すると、ステップＳ２０８において、前記タイマー・モジュール３１０のタイミングが２０秒を越えた後、サブ時間処理モジュール３２１は、第二端末設備４０に検査信号を送信し、前記第二端末設備４０の状態を検査する。前記第二端末設備４０は、前記検査信号に基づいて、前記通信設備３０に対応する状態信号を送信する。ステップＳ２１０において、サブ信号判断モジュール３２２は、前記第二端末設備４０からの状態信号を受信し、且つ該状態信号が通信終了信号であるかどうかを判断する。もし前記状態信号が通信終了信号であれば、ステップＳ２１２において、通信設備３０は、前記ローカル交換機２０に通信終了信号を送信する。ステップＳ２１２の過程において、サブ信号判断モジュール３２２がサブ信号送信モジュール３２３に通信終了信号を送信し、前記サブ信号送信モジュール３２３は、サブ信号判断モジュール３２２からの通信終了信号を受信し、且つトランシーバー・モジュール３００によって、前記ローカル交換機２０に通信終了信号を送信する。もし通信終了信号でなければ、前記サブ信号送信モジュール３２３は、作動しなく、該方法の操作を終わる。前記ローカル交換機２０が電話を切る信号を受信すると、前記第二端末設備４０がローカル交換機２０にある状態を通信を創立することを待つ状態に改める。
【図面の簡単な説明】
【００１４】
【図１】本発明の通信設備の適用環境を示す図である。
【図２】本発明の通信設備の構成を示すブロック図である。
【図３】本発明の端末設備のデッドロックを避ける方法を示すフローチャートである。
【符号の説明】
【００１５】
１０  第一終端設備
２０  ローカル交換機
３０  通信設備
４０  第二端末設備
３００  トランシーバー・モジュール
３１０  タイマー・モジュール
３２０  ネットワーク・モジュール
３２１  サブ時間処理モジュール
３２２  サブ信号判断モジュール
３２３  サブ信号送信モジュール
【図１】
2007251952.tif 000003
【図２】
2007251952.tif 000004
【図３】
2007251952.tif 000005